(57)【要約】  【課題】  防塵性能を向上させるとともに、光軸調整を行うときの基板への追従性を向上させて、防塵性を確保することのできる光学ユニットを提供する。  【解決手段】  光学ユニット１は、基板２上に載置される撮像素子３と、撮像素子３の光軸上に配置されるレンズを有するレンズ鏡筒４と、基板２上において撮像素子３の外周を覆う防塵部材５を備える。レンズ鏡筒４は、撮像素子３を覆うように基板２上に載置され、レンズの光軸調整後に接着剤６を用いて基板２に固定される。防塵部材５は、撮像素子３の外周を覆うベース部７と、ベース部７から撮像素子３の光軸方向に向かって延設される筒部８を備える。筒部８は、柔軟性を有する材料で構成される。【選択図】  図１
2019032433.tif 000002
【特許請求の範囲】
【請求項１】
基板上に載置される撮像素子と、
前記撮像素子の光軸上に配置されるレンズを有し、前記撮像素子を覆うように前記基板上に載置され、前記レンズの光軸調整後に接着剤を用いて前記基板に固定されるレンズ鏡筒と、
前記基板上において前記撮像素子の外周を覆う防塵部材と、
を備え、
前記防塵部材は、
前記撮像素子の外周を覆うベース部と、
柔軟性を有する材料で構成され、前記ベース部から前記撮像素子の光軸方向に向かって延設される筒部と、
を備えることを特徴とする光学ユニット。
【請求項２】
前記レンズ鏡筒には、前記筒部を収容する凹部が設けられている、請求項１に記載の光学ユニット。
【請求項３】
前記ベース部は、箱状の形状を有し、
前記筒部は、円筒状の形状を有する、請求項１または請求項２に記載の光学ユニット。
【請求項４】
前記筒部の上端部は、前記凹部の底面に当接している、請求項２に記載の光学ユニット。
【請求項５】
前記ベース部の下端部は、前記基板に当接し、先細形状を有している、請求項１〜請求項４のいずれか一項に記載の光学ユニット。
【請求項６】
前記筒部の上端部には、内側に向けて突出する突起部が設けられ、
前記レンズ鏡筒の凹部には、底面に向かうほど幅が細くなるようにテーパーが付けられている、請求項２または請求項４に記載の光学ユニット。
【発明の詳細な説明】
【技術分野】
【０００１】
本発明は、撮像素子の周辺に防塵構造を有する光学ユニットに関する。
【背景技術】
【０００２】
近年、カメラ解像度の向上に伴い、固体撮像素子とレンズの位置調整をねじ止め構造で対応することが難しくなった。ねじ止め構造で対応できない場合には、接着剤を用いて詳細に位置固定を行う必要がある。そのような場合には、固体撮像素子とレンズとの間に防塵用のゴムを挿入するのが一般的である。しかし、防塵用のゴムの反力が強いと接着剤硬化後にフォーカスずれが生じてしまう。また、面方向に光軸調整を行うと、防塵用のゴムがずれてしまい、防塵構造を損なわれる恐れがある。
【０００３】
従来、固体撮像素子周辺を覆う防塵ゴムをＶ字状にすることで反力を軽減し、より密着度を増したカメラマウント構造が開示されている（例えば特許文献１参照）。
【先行技術文献】
【特許文献】
【０００４】
【特許文献１】特開２０１０−１５１９９８号公報
【発明の概要】
【発明が解決しようとする課題】
【０００５】
しかしながら、従来の構造では、防塵ゴムの反力がまだ強く、ねじ止め構造でしか実現することができない。また、防塵ゴムをレンズと固体撮像素子の隙間に入れて面で押し、面で基板と密着させる構造であるため、詳細な光軸調整（６軸調整）を行う場合に、防塵ゴムが６軸方向に追従（基板に追従）しにくい。特に、面方向の調整可能量が小さく、防塵ゴムの少しのずれで防塵性能が損なわれる。
【０００６】
本発明は、上記の課題に鑑みてなされたもので、防塵性能を向上させるとともに、光軸調整を行うときの基板への追従性を向上させて、防塵性を確保することのできる光学ユニットを提供することを目的とする。
【課題を解決するための手段】
【０００７】
本発明の光学ユニットは、基板上に載置される撮像素子と、前記撮像素子の光軸上に配置されるレンズを有し、前記撮像素子を覆うように前記基板上に載置され、前記レンズの光軸調整後に接着剤を用いて前記基板に固定されるレンズ鏡筒と、前記基板上において前記撮像素子の外周を覆う防塵部材と、を備え、前記防塵部材は、前記撮像素子の外周を覆うベース部と、柔軟性を有する材料で構成され、前記ベース部から前記撮像素子の光軸方向に向かって延設される筒部と、を備えている。
【０００８】
この構成によれば、防塵部材の筒部が撮像素子の光軸方向に向かって延設されているので、塵の搬入経路が長くなり、防塵性能が向上する。また、防塵部材の筒部が柔軟性を有しているので、レンズを撮像素子の面方向に動かして光軸調整をした場合でも、レンズ鏡筒の動きに防塵部材の筒部が柔軟に変形して追従し、防塵性を確保することができる。
【０００９】
また、本発明の光学ユニットでは、前記レンズ鏡筒には、前記筒部を収容する凹部が設けられてもよい。
【００１０】
この構成によれば、レンズ鏡筒に凹部が設けられているので、防塵部材の筒部の長さを光学要件と切り離して設計することができる。
【００１１】
また、本発明の光学ユニットでは、前記ベース部は、箱状の形状を有し、前記筒部は、円筒状の形状を有してもよい。
【００１２】
この構成によれば、防塵部材が箱状のベース部と円筒状の筒部とで構成されるので、ベース部と筒部の組み合わせ部分で横方向（撮像素子の面方向）の変更を吸収することができ、６軸調整を行う際の基板の動きにも追従することができる。また、フォーカス方向の荷重を吸収することができ、また、反力を抑えることができる。
【００１３】
また、本発明の光学ユニットでは、前記筒部の上端部は、前記凹部の底面に当接してもよい。
【００１４】
この構成によれば、防塵部材の筒部の上端部がレンズ鏡筒の凹部の底面に密着するので、防塵性能がさらに向上する。
【００１５】
また、本発明の光学ユニットでは、前記ベース部の下端部は、前記基板に当接し、先細形状を有してもよい。
【００１６】
この構成によれば、基板の上面に凹凸がある場合でも、防塵部材のベース部の下端部が基板の凹凸に追従して変形し、基板との密着性が向上する。
【００１７】
また、本発明の光学ユニットでは、前記筒部の上端部には、内側に向けて突出する突起部が設けられ、前記レンズ鏡筒の凹部には、底面に向かうほど幅が細くなるようにテーパーが付けられてもよい。
【００１８】
この構成によれば、防塵部材の筒部の上端部に突起部が設けられているので、突起部にかかる重力により筒部が変形し、レンズ鏡筒からの抜けを防止することができる。これにより、６軸調整を行う際の調整方向を問わない構成を実現できる。また、レンズ鏡筒の凹部にテーパーが付けられているので、防塵部材の筒部をレンズ鏡筒の凹部に容易に挿入することができる。これにより、入れやすく抜けにくい構造を実現できる。
【発明の効果】
【００１９】
本発明によれば、防塵性能を向上させるとともに、光軸調整を行うときの基板への追従性を向上させて、防塵性を確保することができる。
【図面の簡単な説明】
【００２０】
【図１】本発明の実施の形態における光学ユニットの構成を示す断面図
【図２】本発明の実施の形態における防塵部材のベース部の下端部の拡大断面図
【図３】本発明の実施の形態における光学ユニットの斜視図
【図４】本発明の実施の形態における防塵部材の斜視図
【発明を実施するための形態】
【００２１】
以下、本発明の実施の形態の光学ユニットについて、図面を用いて説明する。本実施の形態では、車載カメラ等に用いられる光学ユニットの場合を例示する。
【００２２】
まず、本発明の実施の形態の光学ユニットの構成を、図面を参照して説明する。図１は、本実施の形態の光学ユニットの構成を示す断面図であり、図３は、光学ユニットの斜視図である。
【００２３】
図１および図３に示すように、光学ユニット１は、基板２と、基板２上に載置される撮像素子３（例えば固体撮像素子）と、撮像素子３の光軸上に配置されるレンズ（図示せず）を有するレンズ鏡筒４と、基板２上において撮像素子３の外周を覆う防塵部材５を備えている。レンズ鏡筒４は、撮像素子３を覆うように基板２上に載置され、レンズの光軸調整（例えば６軸調整）を行った後に接着剤６を用いて基板２に固定される。
【００２４】
つぎに、防塵部材５の構成について、図面を参照しながら説明する。図４は、本実施の形態の防塵部材５の斜視図である。
【００２５】
図１および図４に示すように、防塵部材５は、撮像素子３の外周を覆うベース部７と、ベース部７から撮像素子３の光軸方向に向かって延設される筒部８を備えている。防塵部材５のベース部７は、撮像素子３に対応した箱状の形状を有している。ベース部７は、撮像素子３を保護する機能を備えている。防塵部材５の筒部８は、光軸方向（図１における上方向）に向かって延びた円筒状の形状を有している。一方、レンズ鏡筒４には、防塵部材５の筒部８を収容する凹部９が設けられている。この場合、防塵部材５の筒部８の上端部は、レンズ鏡筒４の凹部９の底面（図１における上面、天面）に当接している。なお、防塵部材５は、柔軟性を有する材料（例えば、ゴム材料など）で構成されている。
【００２６】
図２は、防塵部材５のベース部７の下端部の拡大断面図である。図２に示すように、防塵部材５のベース部７の下端部は、基板２に当接している。また、防塵部材５のベース部７の下端部は、先細形状を有している。また、図１に示すように、防塵部材５の筒部８の上端部には、内側に向けて突出する複数の（図１の例では４つの）突起部１０が設けられている。この場合、レンズ鏡筒４の凹部９には、底面に向かうほど幅が細くなるようにテーパーが付けられている。
【００２７】
このような本発明の実施の形態の光学ユニット１によれば、防塵部材５の筒部８が撮像素子３の光軸方向に向かって延設されているので、塵の搬入経路が長くなり、防塵性能が向上する。また、防塵部材５の筒部８が柔軟性を有しているので、レンズを撮像素子３の面方向に動かして光軸調整をした場合でも、レンズ鏡筒４の動きに防塵部材５の筒部８が柔軟に変形して追従し、防塵性を確保することができる。
【００２８】
また、本実施の形態では、レンズ鏡筒４に凹部９が設けられているので、防塵部材５の筒部８の長さを光学要件と切り離して設計することができる。
【００２９】
また、本実施の形態では、防塵部材５が箱状のベース部７と円筒状の筒部８とで構成されるので、ベース部７と筒部８の組み合わせ部分で横方向（撮像素子３の面方向）の変更を吸収することができ、６軸調整を行う際の基板２の動きにも追従することができる。また、フォーカス方向の荷重を吸収することができ、また、反力を抑えることができる。
【００３０】
また、本実施の形態では、防塵部材５の筒部８の上端部がレンズ鏡筒４の凹部９の底面に密着するので、防塵性能がさらに向上する。
【００３１】
また、本実施の形態では、基板２の上面に凹凸がある場合でも、防塵部材５のベース部７の下端部が基板２の凹凸に追従して変形し、基板２との密着性が向上する。
【００３２】
また、本実施の形態では、防塵部材５の筒部８の上端部に突起部１０が設けられているので、突起部１０にかかる重力により筒部８が変形し、レンズ鏡筒４からの抜けを防止することができる。これにより、６軸調整を行う際の調整方向を問わない構成を実現できる。また、レンズ鏡筒４の凹部９にテーパーが付けられているので、防塵部材５の筒部８をレンズ鏡筒４の凹部９に容易に挿入することができる。これにより、入れやすく抜けにくい構造を実現できる。
【００３３】
以上、本発明の実施の形態を例示により説明したが、本発明の範囲はこれらに限定されるものではなく、請求項に記載された範囲内において目的に応じて変更・変形することが可能である。
【産業上の利用可能性】
【００３４】
以上のように、本発明にかかる光学ユニットは、防塵性能を向上させるとともに、光軸調整を行うときの基板への追従性を向上させて、防塵性を確保することができるという効果を有し、車載カメラの光学ユニット等として有用である。
【符号の説明】
【００３５】
１  光学ユニット
２  基板
３  撮像素子
４  レンズ鏡筒
５  防塵部材
６  接着剤
７  ベース部
８  筒部
９  凹部
１０  突起部
【図１】
2019032433.tif 000003
【図２】
2019032433.tif 000004
【図３】
2019032433.tif 000005
【図４】
2019032433.tif 000006